(57)【要約】      （修正有）【課題】箱型より小さいソフトパックのティッシュペーパーが丁度よく収まるサイズで、どこに配置しても片手で簡単にティッシュペーパーを引き抜くことができるティッシュペーパーケースを提供する。【解決手段】箱型の収納部１と長方形の蓋部２より成る略直方体のティッシュペーパーケースであって、蓋部の短辺は１００ｍｍ以上１１０ｍｍ以下の長さを有し、長辺は１９０ｍｍ以上２１５ｍｍ以下の長さを有する。蓋部にはティッシュペーパー取り出し口２１が形成されている。蓋部は収納部に対し開閉自在に軸着又は、着脱自在に嵌着されている。収納部の底面裏側には滑り止め具、又は磁石が着設され、平面に載置しても、また、金属面に貼り付けて使用することもできる。また、収納部の底面裏側には固定具用貫通穴が形成され、ビスを使用して壁面や柱に固定できる。【選択図】図１
0003226424.tif 000002
【実用新案登録請求の範囲】
【請求項１】
箱型の収納部と長方形の蓋部より成る略直方体のティッシュペーパーケースであって、
前記蓋部の短辺は１００ｍｍ以上１１０ｍｍ以下の長さを有し、
前記蓋部の長辺は１９０ｍｍ以上２１５ｍｍ以下の長さを有し、
前記蓋部にはティッシュペーパー取り出し口が形成されていることを特徴とするティッシュペーパーケース
【請求項２】
前記蓋部は前記収納部に対し開閉自在に軸着されていることを特徴とする請求項１記載のティッシュペーパーケース。
【請求項３】
前記蓋部は前記収納部に対し着脱自在に嵌着されていることを特徴とする請求項１記載のティッシュペーパーケース。
【請求項４】
前記収納部は底面裏側に少なくとも１の滑り止め具が着設されていることを特徴とする請求項１乃至３のいずれかに記載のティッシュペーパーケース。
【請求項５】
前記収納部は底面裏側に少なくとも１の磁石が着設されていることを特徴とする請求項１乃至３のいずれかに記載のティッシュペーパーケース。
【請求項６】
前記収納部は底面裏側に少なくとも１の固定具用貫通穴が形成されていることを特徴とする請求項１乃至５のいずれかに記載のティッシュペーパーケース。
【考案の詳細な説明】
【技術分野】
【０００１】
本考案は、市販のソフトパックティッシュ専用のティッシュペーパーケースに関する。
【背景技術】
【０００２】
従来のティッシュペーパーケースは、箱に入ったティッシュをそのまま収納するタイプのものがほとんどであるため、ケースは箱よりも一回り大きくなる。
【０００３】
一方で、近年、箱に収納されていないソフトパックのティッシュペーパーが市販されている。ソフトパックのティッシュペーパーのサイズは、通常、箱に入ったティッシュペーパーよりも、一回り小さい。
【先行技術文献】
【特許文献】
【０００４】
【特許文献１】実用新案登録第３２１７５５８号
【特許文献２】特開２０１７−５１５７２号
【考案の概要】
【考案が解決しようとする課題】
【０００５】
前述したように、従来のティッシュペーパーケースは、いわゆるボックスティッシュそのまま収納するか、または特許文献１記載のケースのように、ボックスから取り出して収納することを想定して造られている。このため、近年市販されているソフトパックのティッシュペーパーを入れると、無駄な空間ができてしまう。
【０００６】
また、ソフトパックのティッシュペーパーをそのまま使用すると、ティッシュペーパーを引き抜くときに、ソフトパックが持ち上がらないよう、もう一方の手で押さえる必要が生じ、使い勝手が悪い。特許文献２には、シート素材を使用した梱包体でティッシュペーパーを詰め替えることができる持ち運び可能なケースの発明が開示されているが、固定して使用するときにはケースが動いてしまうので使いづらい。
【０００７】
上記の問題を解決すべく、本考案においては、箱型より小さいソフトパックのティッシュペーパーが丁度よく収まるサイズで、どこに配置しても片手で簡単にティッシュペーパーを引き抜くことができるティッシュペーパーケースを提供することを課題とする。
【課題を解決するための手段】
【０００８】
上記課題を解決するために、請求項１のティッシュペーパーケースは、箱型の収納部と長方形の蓋部より成る略直方体のティッシュペーパーケースであって、前記蓋部の短辺は１００ｍｍ以上１１０ｍｍ以下の長さを有し、前記蓋部の長辺は１９０ｍｍ以上２１５ｍｍ以下の長さを有し、前記蓋部にはティッシュペーパー取り出し口が形成されていることを特徴とする。
【０００９】
請求項２のティッシュペーパーケースは、請求項１記載のティッシュペーパー用ケースであって、前記蓋部は前記収納部に対し開閉自在に軸着されていることを特徴とする。
【００１０】
請求項３のティッシュペーパー用ケースは、請求項１記載のティッシュペーパー用ケースであって、前記蓋部は前記収納部に対し着脱自在に嵌着されていることを特徴とする。
【００１１】
請求項４のティッシュペーパー用ケースは、請求項１乃至３のいずれかに記載のティッシュペーパーケースであって、前記収納部の底面裏側に少なくとも１の滑り止め具が着設されていることを特徴とする。
【００１２】
請求項５のティッシュペーパー用ケースは、請求項１乃至３のいずれかに記載のティッシュペーパーケースであって、前記収納部の底面裏側に少なくとも１の磁石が着設されていることを特徴とする。
【００１３】
請求項６のティッシュペーパー用ケースは、請求項１乃至５のいずれかに記載のティッシュペーパーケースであって、前記収納部の底面裏側に少なくとも１の固定具用貫通穴が形成されていることを特徴とする。
【考案の効果】
【００１４】
本考案のティッシュペーパーケースを使用することにより、ケースの配置に必要なスペースを小さくすることができる。特に飲食店のテーブルやカウンター等、スペースに限りがある場所で効果的である。
【００１５】
本考案のティッシュペーパーケースの提供により、家庭やレストランにおいて安価なソフトパックを使用しやすくなるため、家計や営業コストの節約につながる。また、紙箱を使用しないため、社会的にも資源の節約に寄与する。
【００１６】
本考案のティッシュペーパーケースには、収納部の底面裏側にゴム足等の滑り止め具が設置されているため、ペーパーの引き出しを片手で安定して行うことができる。また、滑り止め具に代えて磁石を設置したものは、冷蔵庫等の金属板に貼り付けて使用することができ、利便性が増す。さらに、底面に形成された貫通穴を利用して、ビス等で壁や柱に固定して使用することも可能となる。
【図面の簡単な説明】
【００１７】
【図１】本ケースの形状とサイズを示す写真である。
【図２】蓋部を開いた状態の写真である。
【図３】底面裏側の写真である。
【図４】本ケースの使用状態の一例を示す写真である。
【図５】ソフトケースのティッシュペーパーと、そのサイズを示す写真である。
【考案を実施するための形態】
【００１８】
本実施形態のティッシュペーパーケース（以降、「本ケース」という。）について写真を用いて説明する。本ケースは請求項２及び４に記載のティッシュペーパーケースである。
【００１９】
図１乃至４に示すように、本ケースは、箱型の収納部１と長方形の蓋部２より成る略直方体のケースであって、箱型ティッシュペーパーよりも小さいソフトパックのティッシュペーパー４（図５）を収納するための専用のケースである。市販のソフトパックのサイズは、通常、縦100ｍｍ前後、横190ｍｍ前後であるため、これに合わせ、本ケースのサイズは蓋部２の短辺が100〜110ｍｍ、長辺が195〜215ｍｍ(図１)となっている。
【００２０】
蓋部２にはティッシュペーパー取り出し口２１が形成されている。図２に示すように、蓋部２は、取り付け部２２を回転軸として収納部１に軸着されていて、蓋部２を開き戸のように開いてティッシュペーパーを挿入する。
【００２１】
図３に示すように、本ケースの底面裏側には、４つのゴム足１１２が設置されており、使用時の安定性が担保されている。すなわち、使用時にはケースを手で押さえることなく、片手でティッシュペーパーを引き出すことができる。図４は本ケースを台所に配置したときの使用状態を示す。
【００２２】
また、ゴム足１１２を外して、同じ場所に磁石１１３（図３下部）を配置することにより、冷蔵庫のような縦置きの金属面に本ケースを張り付けて使用することも可能である（請求項５）。さらに、底面に形成されている貫通穴１１１にビス１１４をさすことにより、本ケースを壁面や柱に固定させることも可能となっている（請求項６）。
【符号の説明】
【００２３】
１      収納部
１１    底面
１１１  貫通穴
１１２  滑り止め具（ゴム足）
１１３  磁石
１１４  ビス
２      蓋部
２１    ティッシュペーパー取り出し口
２２    蓋取り付け部（軸）
３      ソフトパックのティッシュペーパー
【図１】
0003226424.tif 000003
【図２】
0003226424.tif 000004
【図３】
0003226424.tif 000005
【図４】
0003226424.tif 000006
【図５】
0003226424.tif 000007